(57)【要約】【課題】軽量化されたプラスチックボトルにおいて、高い強度を保持しながら、効率的に胴部の膨らみ等による寸法変化が防止されるプラスチックボトルを提供する。【解決手段】口部１０と、肩部２０と、胴部３０と、底部４０と、を有し、前記肩部２０、及び前記胴部３０は、複数の壁部５１と、該壁部５１同士をつなぐコーナー部５２とからなり、前記壁部５１は、肩壁部２１と、胴壁部３１とに分割され、該胴壁部３１は、圧力吸収パネル３５を備える。該圧力吸収パネル３５は略矩形状であり、凸状パネル３３の周囲を取り囲むように凹状パネル３４が形成され、前記凸状パネルの深さｄ１と前記凹状パネルの深さｄ２には、ｄ１＜ｄ２の関係となり、前記凸状パネル３３の表面３３ａは、前記胴壁部３１の最外方面３１ａより内方に位置する。更に、前記前記凸状パネル３３の表面３３ａには、水平方向に延びる複数の凹状リブ３６が形成されることを特徴とする。【選択図】図７
2020063066.tif 000002
【特許請求の範囲】
【請求項１】
口部と、
肩部と、
胴部と、
底部と、
を有し、
前記肩部、及び前記胴部は、複数の壁部と、該壁部同士をつなぐコーナー部とからなり、
前記壁部は、肩壁部と、胴壁部とに分割され、
該胴壁部は、圧力吸収パネルを備え、
該圧力吸収パネルは、凸状パネルの周囲を取り囲むように凹状パネルが形成され、
前記凸状パネル、及び前記凹状パネルは、略矩形状であり、
前記凸状パネルの表面は、前記胴壁部の最外方面より内方に位置することを特徴とする、
プラスチックボトル。
【請求項２】
前記凹状パネルの深さｄ２に対する、前記凸状パネルの深さｄ１の比ｄ１／ｄ２は、０．５以上０．９以下であることを特徴とする、
請求項１に記載のプラスチックボトル。
【請求項３】
前記凸状パネルの表面には、水平方向に延びる複数の凹状リブが形成されることを特徴とする、
請求項１または２に記載のプラスチックボトル。
【請求項４】
前記凹状リブの本数は、４〜１２本であることを特徴とする、
請求項３に記載のプラスチックボトル。
【請求項５】
前記凹状リブの深さｄ３は、前記凸状パネルの表面における肉厚ｔに対して、１．５ｔ≦ｄ３≦１０ｔであることを特徴とする、
請求項３乃至４のいずれか１項に記載のプラスチックボトル。
【請求項６】
前記凹状リブの幅ｗ１は、前記凹状リブの深さｄ３に対して、ｄ３≦ｗ１≦２０ｄ３であることを特徴とする、
請求項５に記載のプラスチックボトル。
【発明の詳細な説明】
【技術分野】
【０００１】
本発明は、プラスチックボトルに関し、より詳細には、軽量化されたプラスチックボトルの構造に関する。
【背景技術】
【０００２】
例えば、飲料が充填される容器としてプラスチックボトルが用いられる。そして、プラスチックボトルの生産量は年々増加傾向にある。一方で、省資源化、ごみの減量化や、輸送時の環境負荷低減等による、エネルギー使用量、及び二酸化炭素排出量の低減の観点から原料の使用量を削減することによるプラスチックボトルの軽量化が取り組まれている。
【０００３】
プラスチックボトルを軽量化するとプラスチックボトルの容器の肉厚が薄くなる為、プラスチックボトルの強度が低下する傾向がある。プラスチックボトルは、複数本の容器の口が上を向いた状態で段ボール等に箱詰めにされたものを複数個積み上げ一つのパレットとして、保管、及び輸送される。その際に、プラスチックボトルが、その上下方向の荷重に耐える強度である座屈強度を充分に有していない場合には、座屈変形が生じ、荷崩れが発生するおそれがある。
【０００４】
更に、プラスチックボトルが、その水平方向の荷重に耐える強度である側壁強度を充分に有していない場合には、プラスチックボトルが横向きに積載される自動販売機内において下段にあるプラスチックボトルは側面に変形を生じやすくなり、自動販売機から正常に排出されなくなるおそれがある。なお、プラスチックボトルが、自動販売機から正常に排出されるか否かの特性はベンダー適性とも称される。
【０００５】
ところで、プラスチックボトルの形状には大別して、容器の胴部の断面が円形の丸ボトルと、容器の胴部の断面が略四角形の角ボトルとがある。丸ボトルでは、容器の周囲に貼り付けられるラベルが容器の真正面からみづらい場合がある。一方で、角ボトルでは、上述のような問題が生じにくく、更に、積載効率や陳列効率が優れており、これらの長所を有する角ボトルの需要は多い。
【０００６】
しかしながら、上述のような強度、特に座屈強度は、丸ボトルの場合には上下方向の荷重が円形の胴部に効果的に分散されるのに対し、胴部が面と、コーナー部を形成する柱（ピラー）とで構成される角ボトルでは柱の部分に偏荷重がかかってしまうので弱くなる。したがって、角ボトルを軽量化する際には強度の対策が特に必要となる。
【０００７】
そして、このような軽量化された角型のプラスチックボトルにおいて、内容物が充填された際に、高い側壁強度が保持されながら胴部の膨らみによる寸法変化の防止を目的として、上側胴部に減圧吸収用パネルを備えたプラスチックボトルにおいて、当該パネルの水平方向に延びるリブを複数設けることが知られている（特許文献１）。
【先行技術文献】
【特許文献】
【０００８】
【特許文献１】特開２０１５−１６３５２７号公報
【発明の概要】
【発明が解決しようとする課題】
【０００９】
特許文献１に記載された技術によれば、上側胴部に減圧吸収用パネルを備えたプラスチックボトルにおいて、当該パネルの水平方向に延びるリブを複数設けたので、高い側壁強度を保持しながら、内容物が充填された際の水頭圧によってプラスチックボトルが外方に押される、いわゆる胴膨れと称される現象が防止されているが、プラスチックボトルのサイズが大きくなり、より大きな水頭圧がかかった場合等には、胴膨れによる設計値との寸法変化も大きくなるため、胴膨れを防止対策としては不十分である。
【００１０】
このように、従来のプラスチックボトルにおいては、胴膨れ防止対策が不十分であるため、プラスチックボトルのサイズが大きくなり、より大きな水頭圧がかかった場合に、圧力分散が不十分となり胴膨れが生じ、予め決められた設計寸法に対して凸になっていると、製造ラインや、自動販売機内で詰まってしまったり、段ボール等への箱詰めや商品棚への陳列の際に入らなくなってしまったり、商品価値が低下してしまうことが懸念される。したがって、より大きな水頭圧がかかった場合でも、効率的に圧力分散することができ、胴膨れが防止できる対策が必要とされる。
【００１１】
そこで本発明の目的は、前述のような従来技術の問題点を解決するためになされたものであり、軽量化された角型のプラスチックボトルにおいて、高い強度を保持しながら、効率的に胴部の膨らみ等による寸法変化が防止されるプラスチックボトルを提供することにある。
【課題を解決するための手段】
【００１２】
上記課題を解決するため、本発明のプラスチックボトルは、口部と、肩部と、胴部と、底部と、を有し、前記肩部、及び前記胴部は、複数の壁部と、該壁部同士をつなぐコーナー部とからなり、前記壁部は、肩壁部と、胴壁部とに分割され、該胴壁部は、圧力吸収パネルを備え、該圧力吸収パネルは、凸状パネルの周囲を取り囲むように凹状パネルが形成され、前記凸状パネル、及び前記凹状パネルは、略矩形状であり、前記凸状パネルの表面は、前記胴壁部の最外方面より内方に位置することを特徴とする。
【００１３】
更に、前記凹状パネルの深さｄ２に対する、前記凸状パネルの深さｄ１の比ｄ１／ｄ２は、０．５以上０．９以下であることを特徴とする。
【００１４】
更に、前記凸状パネルの表面には、水平方向に延びる複数の凹状リブが形成されることを特徴とする。
【００１５】
更に、前記凹状リブの本数は、４〜１２本であることを特徴とする。
【００１６】
更に、前記凹状リブの深さｄ３は、前記凸状パネルの表面における肉厚ｔに対して、１．５ｔ≦ｄ３≦１０ｔであることを特徴とする。
【００１７】
更に、前記凹状リブの幅ｗ１は、前記凹状リブの深さｄ３に対して、ｄ３≦ｗ１≦２０ｄ３であることを特徴とする。
【発明の効果】
【００１８】
本発明のプラスチックボトルによれば、口部と、肩部と、胴部と、底部と、を有し、肩部、及び胴部は、複数の壁部と、壁部同士をつなぐコーナー部とからなり、壁部は、肩壁部と、胴壁部とに分割され、胴壁部は、圧力吸収パネルを備え、圧力吸収パネルは、凸状パネルの周囲を取り囲むように凹状パネルが形成され、凸状パネル、及び凹状パネルは、略矩形状であり、凸状パネルの表面は、胴壁部の最外方面より内方に位置するので、軽量化した容器において、高い強度を保持しながら、効率的に圧力を分散させることで胴部の膨らみ等による寸法変化を防止することができる。また、胴壁部へのラベルの装着が円滑に行われ、段ボール等への箱詰めの積載効率にも優れ、生産性を向上させることができる。
【００１９】
更に、本発明のプラスチックボトルによれば、凹状パネルの深さｄ２に対する、凸状パネルの深さｄ１の比ｄ１／ｄ２は、０．５以上０．９以下であるので、軽量化した容器において、高い強度を保持しながら、より効率的に圧力を分散させることで胴部の膨らみ等による寸法変化を防止することができる。
【００２０】
更に、本発明のプラスチックボトルによれば、凸状パネルの表面には、水平方向に延びる複数の凹状リブが形成されるので、パネル表面のフラット部がなくなり、凹状リブにおいて圧力分散されることでより胴膨れを防止することができる。
【００２１】
更に、本発明のプラスチックボトルによれば、凹状リブの本数は、４〜１２本であるので、軽量化した容器において、高い強度を保持しながら、より効率的に圧力を分散させることで胴部の膨らみ等による寸法変化を防止することができる。
【００２２】
更に、本発明のプラスチックボトルによれば、凹状リブの深さｄ３は、凸状パネルの表面における肉厚ｔに対して、１．５ｔ≦ｄ３≦１０ｔであるので、軽量化した容器において、高い強度を保持しながら、より効率的に圧力を分散させることで胴部の膨らみ等による寸法変化を防止することができる。
【００２３】
更に、前記凹状リブの幅ｗ１は、前記凹状リブの深さｄ３に対して、ｄ３≦ｗ１≦２０ｄ３であるので、軽量化した容器において、高い強度を保持しながら、より効率的に圧力を分散させることで胴部の膨らみ等による寸法変化を防止することができる。
【図面の簡単な説明】
【００２４】
【図１】本実施形態に係るプラスチックボトルの一例が示された正面図である。
【図２】図１のプラスチックボトルの平面図である。
【図３】図１のプラスチックボトルの底面図である。
【図４】図２のＩ方向矢視図である。
【図５】図１の肩部から胴部にかけての正面拡大図である。
【図６】図５のＩＩ−ＩＩ線断面図である。
【図７】図１の圧力吸収パネルを凹状パネルと凸状パネルに分解した分解図である。
【図８】図７（ａ）の下図のＩＩＩ−ＩＩＩ線断面の拡大図である。
【図９】図７（ａ）の下図のＩＶ−ＩＶ線断面の一部拡大図である。なお、矢印方向がプラスチックボトルの外方を示している。
【図１０】図１の周溝の正面拡大図である。
【図１１】比較例１のプラスチックボトルの正面図である。
【図１２】図１１のプラスチックボトルの平面図である。
【図１３】図１１のプラスチックボトルの底面図である。
【図１４】比較例２のプラスチックボトルの正面図である。
【図１５】図１４のプラスチックボトルの平面図である。
【図１６】図１４のプラスチックボトルの底面図である。
【発明を実施するための形態】
【００２５】
以下に、図面を参照しつつ、本発明の実施形態の詳細を説明する。図１は本実施形態に係るプラスチックボトル１の一例が示された正面図である。図２は図１のプラスチックボトル１の平面図であり、図３は図１のプラスチックボトル１の底面図である。図４は図２のＩ方向矢視図である。なお、以下では、説明の便宜上、プラスチックボトル１を正立させた図１の状態において、容器内に内容物が充填されるプラスチックボトル１の口部１０を上とする。
【００２６】
図１、図４、図７、及び図８に示されるように、本実施形態に係るプラスチックボトル１は、口部１０と、肩部２０と、胴部３０と、底部４０と、を有し、肩部２０、及び胴部３０は、複数の壁部５１と、壁部５１同士をつなぐコーナー部５２とからなり、壁部５１は、肩壁部２１と、胴壁部３１とに分割され、胴壁部３１は、圧力吸収パネル３５を備え、圧力吸収パネル３５は、凸状パネル３３の周囲を取り囲むように凹状パネル３４が形成され、凸状パネル３３、及び凹状パネル３４は、略矩形状であり、凸状パネル３３の表面３３ａは、胴壁部３１の最外方面３１ａより内方に位置することを特徴とする。以下では、本実施形態に係るプラスチックボトル１の好適な態様として、水平方向の断面視が略正方形の角ボトルを例示し、詳細に説明する。
【００２７】
口部１０は、内容物の充填口、及び注出口、あるいは飲み口となり、口部１０に、図示せぬ蓋が取り付けられることによってプラスチックボトル１が密閉される。
【００２８】
図１に示すように、肩部２０、及び胴部３０は、複数の壁部５１と、壁部５１同士をつなぐコーナー部５２とからなり、壁部５１は、肩壁部２１と、胴壁部３１とに分割され、コーナー部５２は、肩コーナー部２２と、胴コーナー部３２とに分割される。
【００２９】
肩部２０は、その上側が口部１０に連なり、一方で、その下側が胴部３０に連なる。肩部２０は、上方から下方に向かって拡径する略四角錐台の形状を有する。図２に示されるように、プラスチックボトル１は角ボトルであるため、肩部２０は、互いに同一の形状からなる４つの肩壁部２１を有しており、更に、隣接する肩壁部２１同士の間には肩コーナー部２２が形成されている。更に、肩壁部２１は、上肩壁部２１Ａと下肩壁部２１Ｂに分割され、肩コーナー部２２は、上肩コーナー部２２Ａと下肩コーナー部２２Ｂに分割されている。更に、上肩壁部２１Ａと上肩コーナー部２２Ａは、口部１０から急激に拡径し、下肩壁部２１Ｂと下肩コーナー部２２Ｂは、緩やかに拡径する。なお、下肩壁部２１Ｂと下肩コーナー部２２Ｂを総称して下肩部と呼ぶ。
【００３０】
胴部３０は、胴壁部３１と、胴コーナー部３２とからなり、胴壁部３１は、上胴壁部３１Ａと、下胴壁部３１Ｂとに分割され、更に、胴コーナー部３２は、上胴コーナー部３２Ａと、下胴コーナー部３２Ｂとに分割されている。
【００３１】
肩部２０は、詳細には、上胴壁部３１Ａ、及び上胴コーナー部３２Ａに連接する。上肩壁部２１Ａは、垂直方向に分割された２つのパネルによって形成されることが肩部２０の強度を向上させる観点から好ましい。なお、垂直方向の分割は、壁部５１の中央から上方に延びる線上であることが強度を向上させる観点から好ましい。一方で、上肩コーナー部２２Ａは、１つのパネルによって形成されても良い。
【００３２】
図５は肩部から胴部にかけての正面拡大図である。また、図６は図５のＩＩ−ＩＩ線断面図である。この図６に示すように、下肩壁部２１Ｂと下肩コーナー部２２Ｂには、Ｖ字状の凹溝である縦リブ５３が設けられている。縦リブ５３は、上下方向に形成され、正面視直線状の形状を持つ。図５に示したように、下肩壁部２１Ｂに形成された縦リブ５３の上端は上肩壁部２１Ａ方向へ上方に突出し、下端は上胴壁部３１Ａ方向へ下方に突出し、下肩コーナー部２２Ｂに形成された縦リブ５３の上端は上肩コーナー部２２Ａ方向へ上方に突出し、下端は上胴コーナー部３２Ａ方向へ下方に突出している。
従って、縦リブ５３は、下方へ向かって緩やかに拡径する下肩壁部２１Ｂと下肩コーナー部２２Ｂ（下肩部）に形成されており、さらに上下方向に突出しているので、斜めに形成され、さらに、略折れ曲がって形成されている。この縦リブ５３の形状により、強度が増し、座屈変形を防止することが可能になる。
【００３３】
更に、縦リブ５３は、図６に示すように、直線状の溝底部で溝側面が交わる図示するような断面Ｖ字形状の溝形状とするほか、所定の幅の溝底部を有し当該溝底部の幅方向両端縁から溝側面が立ち上がる断面台形状の溝形状とするほか、断面円弧状のＵ字形状としても良い。
【００３４】
肩部２０の下方に位置する下肩部近傍に、外力が加わる等して、下肩部近傍の領域が容器内方に押し込まれるようにして変形すると、横方向に折れ線が生じるように変形する。この折れ線に直交するように縦リブ５３を設けることによって、そのような形状変化に対する復元力を発揮させることができ、プラスチックボトル１の永久変形を抑止することができる。すなわち、外部からの衝撃により肩部２０の下方の下肩部の近傍が凹む、いわゆる肩潰れを防止し、かつ垂直方向の座屈強度を高めることができる。
【００３５】
また、座屈強度の観点から、下肩壁部２１Ｂ、又は下肩コーナー部２２Ｂの水平方向の略中央を上下方向に延びる線上に縦リブ５３を少なくとも１つ有することが好ましい。下肩壁部２１Ｂ、又は下肩コーナー部２２Ｂの中央に縦リブ５３が設けられることで、最も効果的に、プラスチックボトル１の強度を保持することが可能になる。更に、下肩壁部２１Ｂ、及び下肩コーナー部２２Ｂの縦リブ５３は、各々奇数本備えられる事が好ましい。特に、下肩壁部２１Ｂの縦リブ５３は、５本から１５本形成されるのが好ましい。また、下肩コーナー部２２Ｂの縦リブ５３は、１本から３本形成されるのが好ましい。より多数の縦リブの形成により、座屈強度が高められ、荷崩れを防止することが可能になる。
【００３６】
また、座屈強度の観点から、下肩壁部２１Ｂに形成されている縦リブ５３の上端は、上肩壁部２１Ａ方向へ上方に０．５ｍｍ以上４．０ｍｍ以下の位置に突出して設けられ、下端は、上胴壁部３１Ａ方向へ下方に０．５ｍｍ以上４．０ｍｍ以下の位置に突出して設けられることが好ましい。更に、下肩コーナー部２２Ｂに形成されている縦リブ５３の上端は、上肩コーナー部２２Ａ方向へ上方に０．５ｍｍ以上４．０ｍｍ以下の位置に突出して設けられ、下端は、上胴コーナー部３２Ａ方向へ下方に０．５ｍｍ以上４．０ｍｍ以下の位置に突出して設けられることが好ましい。更に、下肩壁部２１Ｂ、又は下肩コーナー部２２Ｂに形成され、周方向に隣り合う縦リブ５３同士は、２ｍｍ以上６ｍｍ以下の等間隔で設けられることが好ましい。このように上下方向に突出した構造の縦リブの形成により、一層、座屈強度を高め、衝撃が加わった際の変形を防止することが可能になる。
【００３７】
次に、プラスチックボトル１の胴壁部３１の詳細について説明する。図７（ａ）の下図は、図１のプラスチックボトルにおける上胴壁部３１Ａの正面拡大図である。図７（ａ）の上図は、図７（ａ）の下図のＩＶ−ＩＶ線の断面図を図７（ａ）の下図の各部位に対応させて示している。図７（ｂ）、及び図７（ｃ）の下図は、図７（ａ）の圧力吸収パネル３５を、凹状パネルと凸状パネルに分解した分解図である。図７（ｂ）、及び図７（ｃ）の上図は、各分解図の各部位に対応させた図７（ａ）の下図のＩＶ−ＩＶ線の断面図を示している。図８の左図は、図７（ａ）のＩＩＩ−ＩＩＩ線断面の拡大図である。図８の左図は、右図の圧力吸収パネル３５の各部位に対応させて示している。なお、図８の左図においては、矢印方向がプラスチックボトル１の外方を示している。図９は、図７のＩＶ−ＩＶ線断面の一部拡大図である。なお、矢印方向がプラスチックボトル１の外方を示している。
【００３８】
図１に示すように、胴壁部３１は、上下方向の略中間部において、上胴壁部３１Ａと、下胴壁部３１Ｂとに分割され、それぞれ圧力吸収パネル３５を備える。圧力吸収パネル３５は、プラスチックボトル１の内部の圧力変化、特に減圧変化を吸収し、かつプラスチックボトル１の強度、特に側壁強度を保持する。また、圧力吸収パネル３５は、圧力分散して胴膨れを防止する観点から、各角部がＲ面取りされた略矩形状であることが好ましい。
【００３９】
以下では、圧力吸収パネル３５について説明するが、上胴壁部３１Ａと下胴壁部３１Ｂとも同様の形態であるため、上胴壁部３１Ａについてのみ取り上げて説明し、下胴壁部３１Ｂの構造は省略する。
【００４０】
図７、図８及び図９に示すように、圧力吸収パネル３５は、上胴壁部３１Ａに縦窓状に設けられ、凸状パネル３３の周囲を取り囲むように凹状パネル３４が形成される。凸状パネル３３、及び凹状パネル３４は、略矩形状であり、凸状パネル３３の表面３３ａは、胴壁部３１の最外方面３１ａより内方に位置するように形成されている。
【００４１】
凸状パネル３３の深さｄ１は、０．５〜５.０ｍｍ、好ましくは１〜３ｍｍであり、凹状パネル３４の深さｄ２は、１〜７ｍｍ、好ましくは１．５〜４.０ｍｍである。ｄ１，ｄ２には、ｄ１＜ｄ２の関係があり、深さｄ１，ｄ２が小さ過ぎると、プラスチックボトル１の内圧変化による荷重を吸収しにくくなり、一方で、深さｄ１，ｄ２が大き過ぎると、プラスチックボトル１の成形時に、賦形不良や、過延伸による白化が発生しやすくなる。
【００４２】
また、凹状パネルの深さｄ２に対する、凸状パネルの深さｄ１の比ｄ１／ｄ２は、０．５以上０．９以下であることが、効率的に圧力を分散して胴膨れを防止する観点から好ましい。
【００４３】
凸状パネル３３の側面３３ｂにおける傾斜角度θ１については、５度≦θ１≦８０度であることが好ましく、凹状パネル３４の側面３４ｂにおける傾斜角度θ２については、５度≦θ１≦８０度であることが好ましい。ブロー成形性や、成形後の離型性を考慮すると、３０度≦θ１≦６０度，３０度≦θ２≦６０度であることがより好ましい。なお、θ１，θ２はすべて同一の値であっても良く、互いに異なる値であっても良い。
【００４４】
ここで、凸状パネル３３の表面３３ａが平坦な面であると、容器が保持された際の変形が著しくなる。そこで、凸状パネル３３の表面３３ａには、凸状パネル３３の表面３３ａから内方に凹んで水平方向に直線状に延びる複数の凹状リブ３６が形成されるのが好ましい。この構成により、パネル表面のフラット部がなくなり、凹状リブにおいて圧力分散されることでより胴膨れを防止することができる。
【００４５】
しかしながら、凹状リブ３６が多くなりすぎると、圧力吸収パネル３５が、プラスチックボトル１の内方に変形しにくくなり、圧力吸収の機能が失われる。そこで、凹状リブ３６は、凸状パネル３３の表面３３ａにおいて、４〜１２本配置されることが好ましい。凹状リブ３６が４本以上とされることによって、高い減圧適正を示し、更に、上胴壁部３１Ａの剛性が高まり、プラスチックボトル１に加わった圧力が分散され、胴膨れ防止の効果が充分に得られる。なお、図７、及び図８の例示では凹状リブ３６は７本配置されている。
【００４６】
各凹状リブ３６は、凸状パネル３３の表面３３ａにおいて、左端から右端まで連続的に延びている。そして、凹状リブ３６は、凸状パネル３３の表面３３ａの上端から下端まで上下方向の全域にわたって形成されている。なお、凹状リブ３６は、各圧力吸収パネル３５の凸状パネル３３の表面３３ａの上下方向の全域にわたって形成されている場合に限らず、各圧力吸収パネル３５の一部、例えば各圧力吸収パネル３５の上半分、下半分や、上下方向の中央部のみに形成されていても良い。
【００４７】
図８に示されるように、略平坦状である凸状パネル３３の表面３３ａは、凹状リブ３６の略平坦状のリブ底面３６ａと、リブ側面３６ｂを介して連接されている。
【００４８】
ここで、凸状パネル３３の表面３３ａにおける肉厚をｔとしたとき、凹状リブ３６の深さｄ３は、１．５ｔ≦ｄ３≦１０ｔ、より好ましくは２ｔ≦ｄ３≦５ｔという関係にある。ｄ３＜１．５ｔであると、凸状パネル３３の表面３３ａと、凹状リブ３６とが形状として成り立ちにくくなる。一方で、ｄ３＞１０ｔであると、賦形性が悪くなりやすい。
【００４９】
凸状パネル３３の表面３３ａの幅ｗ２は、凹状リブ３６の深さｄ３に対して、２ｄ３≦ｗ２≦２０ｄ３とすることが好ましい。凸状パネル３３の表面３３ａは、ブロー成形金型では凹んだ形状となるため、２ｄ３≦ｗ２とすることによってブロー成形時に凸状パネル３３の表面３３ａを賦形しやすくなる。なお、経験則上、ブロー成形時に賦形しやすくするためには、幅は、深さの２倍以上（２ｄ３≦ｗ２）とすることが好ましい。一方で、凸状パネル３３の表面３３ａの幅ｗ２を２０ｄ３以下（ｗ２≦２０ｄ３）とすることによって、減圧吸収機能や補強機能を充分発揮することができる。なお、各圧力吸収パネル３５の複数の凸状パネル３３の表面３３ａはすべて同一の幅ｗ２を有していても良い。
【００５０】
凹状リブ３６の幅ｗ１は、凹状リブ３６の深さｄ３に対して、ｄ３≦ｗ１≦２０ｄ３とすることが好ましく、２ｄ３≦ｗ１≦２０ｄ３とすることが更に好ましい。凹状リブ３６は、ブロー成形金型では高さｄ３の突起部となるため、幅ｗ１に対してｄ３が大きすぎないことによって、ブロー成形金型の突起部が大きくなりすぎることがない。このため、ブロー成形金型の突起部に相当する部分の強度が弱くなることが防止される。したがって、少なくとも幅ｗ１はｄ３以上とすることが好ましく、ｄ３の２倍以上とすることがより好ましい。一方で、凹状リブ３６の幅ｗ１を２０ｄ３以下（ｗ１≦２０ｄ３）とすることによって、減圧吸収機能や補強機能を充分発揮することができる。なお、各圧力吸収パネル３５の複数の凹状リブ３６はすべて同一の幅ｗ１を有していても良い。
【００５１】
リブ側面３６ｂの傾斜角度θ３、θ４については、５度≦θ３≦８０度，５度≦θ４≦８０度であることが好ましい。ブロー成形性や、成形後の離型性を考慮すると、１５度≦θ３≦４５度，１５度≦θ４≦４５度であることがより好ましい。なお、θ３と、θ４とは互いに同一の値であっても良く、互いに異なる値であっても良い。
【００５２】
なお、１つのプラスチックボトル１、又は１つの圧力吸収パネル３５において、各寸法ｄ３，ｗ１，ｗ２等は、各々がすべて同じ値である必要はなく、上述した関係を満たす異なる値で適宜設計することができる。更に、上述の上胴壁部３１Ａの圧力吸収パネル３５と凹状リブ３６との構成は、下胴壁部３１Ｂの圧力吸収パネル３５と凹状リブ３６との構成に、矛盾しない範囲で任意に組み合わせ可能である。
【００５３】
プラスチックボトル１はわずかながら、酸素の透過性を有している。そして、プラスチックボトル１内での保存が長期間に及ぶと、内容物によっては酸化が起こり、これによって、プラスチックボトル１内が減圧する。その他にも、内容物の充填時と、保管時との温度差によってもプラスチックボトル１の内部の圧力が変化する。内部で減圧が生じたプラスチックボトル１は内方に引っ張られて変形が生じる。
このとき、圧力吸収パネル３５は、凸状パネル３３の表面３３ａ、凸状パネル３３の側面３３ｂ、凹状パネル３４の底面３４ａ、凹状パネル３４の側面３４ｂと、凹状リブ３６との凹凸面が伸ばされることによって容易に内方に向けて変形する。圧力吸収パネル３５は、プラスチックボトル１内が減圧された際に、プラスチックボトル１の内方に凹むことによって、プラスチックボトル１全体の変形を防止する役割を果たす。また、プラスチックボトル１に水頭圧がかかっても、圧力吸収パネル３５の凹凸面にける剛性が高まり、圧力分散することで、胴膨れを防止することができる。
【００５４】
なお、圧力吸収パネル３５は、プラスチックボトル１内が増圧された際にもプラスチックボトル１全体の変形を防止する役割を果たす。このような構成を有する圧力吸収パネル３５によって、プラスチックボトル１の開栓時に、プラスチックボトル１の壁が内方へ押圧されて内容物が口部１０から押し出されてこぼれることも防止することができる。そして、圧力吸収パネル３５は、胴部３０の剛性を高めることができる。
【００５５】
プラスチックボトル１の上胴壁部３１Ａはラベルが装着される部位である。ラベルは、例えば、プラスチックボトル１に被せられた筒状のポリスチレン（ＰＳ：PolyStyrene）や、ポリエチレンテレフタラート（ＰＥＴ：PolyEthylene Terephthalate）等の熱収縮性フィルムに熱風を当てて収縮させるシュリンクラベルによって装着される。そして、筒状の熱収縮性フィルムの寸法は予め定められた値に決まっているので、上胴壁部３１Ａが膨れていると、熱収縮性フィルムが詰まったり、入らなかったりする不具合が生じる。
【００５６】
そこで、圧力吸収パネル３５は、プラスチックボトル１の上胴壁部３１Ａの外方には出っ張らないように構成されるのが好ましい。すなわち、凸状パネル３３の表面３３ａが胴壁部３１の最外方面３１ａより内方に位置し、凸状パネル３３の表面３３ａには凹状リブ３６が備えられることが好ましい。これによって、上胴壁部３１Ａへのラベルの装着が円滑に行われ、段ボール等への箱詰めの積載効率にも優れ、生産性を向上させることができる。更に、圧力吸収パネル３５を備えることによって、プラスチックボトル１に内容物が充填された商品の外観を良好に保ち、商品価値の低下を防止することができる。
【００５７】
なお、上述のように、圧力吸収パネル３５の凸状パネル３３の表面３３ａは、水平方向に延びる複数の凹状リブ３６を備えることが好ましいものの、凸状パネル３３の表面３３ａは、任意の方向に延びる凹状や凸状の図示せぬリブを有していても良い。任意の方向に延びるリブが凸状パネル３３の表面３３ａに複数設けられる場合にはリブ同士が交差するように形成されることが上胴壁部３１Ａの強度の観点から好ましい。更に、リブ同士の交点の少なくとも一つが、上胴壁部３１Ａの左右方向の略中心を上下方向に延びる線上に位置することが好ましく、上胴壁部３１Ａの中心付近に位置することが胴膨れ等による寸法変化の防止の観点からより好ましい。したがって、リブは、Ｘ字形状や、十字形状等に形成されると良い。これらの形状を有するプラスチックボトル１は意匠性により優れている。
【００５８】
更に、凸状のリブの場合には、リブの凸部の表面が、胴壁部３１の最外方面３１ａより内方に位置することが好ましい。すなわち、上胴壁部３１Ａの表面から１段内方に凹んだ凹状パネル３４の底面３４ａから１段外方に凸となる凸状パネル３３の表面３３ａから更に外方に突出するリブは、その突出高さが、胴壁部３１の最外方面３１ａと同じか、それ以下とされる。したがって、凸状のリブの突出方向の真横からプラスチックボトル１を見ると凸状のリブは見えない。このように構成されるリブは、プラスチックボトル１の対面の寸法に影響を与えない。したがって、本実施形態に係るプラスチックボトル１は段ボール等への箱詰めの積載効率が優れている。更に、本実施形態に係るプラスチックボトル１は、シュリンクラベルの装着に影響を与えない効果も有している。
【００５９】
上胴壁部３１Ａと、下胴壁部３１Ｂとの間には、胴壁部３１、及び胴コーナー部３２を横切る環状の周溝３８を有することが好ましい。周溝３８は、胴部３０の水平方向の荷重に耐える強度である側壁強度を向上させる。底部４０の接地面から周溝３８までの高さＨ２と、プラスチックボトル１の全高Ｈ１との比Ｈ２／Ｈ１が０．３以上０．８以下であることが強度をより保持しながら胴膨れをより防止する本実施形態の効果を適切に発揮させる観点から好ましい。比Ｈ２／Ｈ１が０．３未満であると、プラスチックボトル１の成形時に底部４０側まで樹脂が到達しにくい為、白化等の賦形不良が生じやすくなる。一方で、比Ｈ２／Ｈ１が０．８より大であると、側壁強度が低下することになる。
【００６０】
上胴壁部３１Ａ、及び上胴コーナー部３２Ａは、上方から下方に向かって縮径するとともに周溝３８に連なるように先細り形状に形成され、下胴壁部３１Ｂ、及び下胴コーナー部３２Ｂは、下方から上方に向かって縮径するとともに周溝３８に連なるように先細り形状に形成され、周溝３８が胴部３０の最小径になるようにくびれることが、持ち運びやすさ、飲みやすさ、及び胴膨れをより防止する効果を適切に発揮させる観点から好ましい。
【００６１】
ここで、周溝３８の構成について詳述する。図１０は周溝３８の正面部分の拡大図である。周溝３８は、胴コーナー部３２の両端部から中央に向け、幅広となるように形成される。すなわち、胴コーナー部３２の両端部における周溝３８の幅ｃ１より、胴コーナー部３２の中央における周溝３８の幅ｃ２が大である。この構成によって、胴部３０の剛性を高めることができる。
【００６２】
ｃ２／ｃ１の比は１．１〜３．０であることが座屈強度、及び賦形性の観点から好ましい。ｃ２／ｃ１の比が１．１よりも小であると、応力の集中を防止する効果が発揮されにくくなる。一方で、ｃ２／ｃ１の比が３．０よりも大であると、垂直荷重時に屈曲点になってしまう。
【００６３】
次に、プラスチックボトル１の底部４０の詳細について説明する。底部４０は、接地部４１と、接地部４１の外周縁から胴部３０に接続する側面部４２と、接地部４１の内側に位置する内側部４３を有する。さらに内側部４３には、中心方向に向かって延在するリブ４４形成される。したがって、例えば、落下などの衝撃により発生する内圧で底部４０が反転するなどの変形を防止することができる。
【００６４】
接地部４１の形状は六角形などの多角形状や円形状であってもよく、円の外周の一部が直線である形状でもよい。
【００６５】
本実施形態に係るプラスチックボトル１にはサイズによる限定はなく、種々のサイズに対して適用することができる。例えば、プラスチックボトル１の容積が２００ｍｌ〜２０００ｍｌであっても良く、特に、容積が５００ｍｌ〜１０００ｍｌであるプラスチックボトル１に対して好適である。とりわけ、プラスチックボトル１の全高Ｈ１が１２０ｍｍ〜２６０ｍｍであり、胴部３０の直径が４０ｍｍ〜７０ｍｍであることが好ましく、本実施形態に係るプラスチックボトル１の奏する効果を好適に得ることができる。
【００６６】
更に、本実施形態に係るプラスチックボトル１は軽量化ボトルを対象として好適に用いることができる。プラスチックボトル１の質量は例えば、６００ｍｌに対しては１２ｇ以上、１８ｇ未満、７２０ｍｌに対しては２２ｇ以上、３２ｇ未満、９３０ｍｌに対しては２３ｇ以上、３７ｇ未満、であると良い。そして、特に、軽量性を有し、内圧の変化の吸収量を高めながらプラスチックボトル１の強度を保つ観点から、プラスチックボトル１の容積に対する質量の比の値が０．０２０ｇ／ｍｌ以上、０．０４４ｇ／ｍｌ以下であることが好ましい。このような軽量化されたプラスチックボトルにより、省資源化が進み、ごみが軽減され、環境負荷が低減し、生産コストを軽減することが可能になる。
【００６７】
プラスチックボトル１を構成する熱可塑性樹脂として、例えば、ポリエチレンテレフタレート、ポリブチレンテレフタレート、ポリエチレンナフタレート、ポリカーボネート、ポリアリレート、又はこれらの共重合体等の熱可塑性ポリエステル、これらの樹脂、あるいは他の樹脂とのブレンド物が好適であり、特に、ポリエチレンテレフタレート等のエチレンテレフタレート系熱可塑性ポリエステルを好適に使用することができる。更に、アクリロニトリル樹脂、ポリエチレン、ポリプロピレン、プロピレン−エチレン共重合体等も使用することができる。更に、植物由来のバイオマス系プラスチック、例えば、ポリ乳酸（ＰＬＡ）を用いることも可能である。上述された樹脂には、成形品の品質を損なわない範囲で、種々の添加剤、例えば、着色剤、紫外線吸収剤、離型剤、滑剤、核剤、酸化防止剤、帯電防止剤等を配合することができる。なお、プラスチックボトル１は、過酸化水素、過酢酸を添加して無菌化させることが好ましい。
【００６８】
プラスチックボトル１を構成するエチレンテレフタレート系熱可塑性樹脂として、エステル反復部分の大部分、一般に７０モル％以上をエチレンテレフタレート単位が占めるものであり、ガラス転移点（Ｔｇ）が５０〜９０℃であり、融点（Ｔｍ）が２００〜２７５℃の範囲にあるものが好適である。また、エチレンテレフタレート系熱可塑性ポリエステルとして、ポリエチレンテレフタレートが耐圧性等の点で特に優れているものの、エチレンテレフタレート単位以外に、イソフタル酸や、ナフタレンジカルボン酸等の二塩基酸と、プロピレングリコール等のジオールからなるエステル単位を少量含む共重合ポリエステルも使用することができる。
【００６９】
更に、プラスチックボトル１は、二層以上の熱可塑性ポリエステル層により構成することもできる。更に、プラスチックボトル１は、二層以上の熱可塑性ポリエステル層により構成する場合には、層間にバリア層や、酸素吸収層等の中間層を備えることができる。酸素吸収層としては、酸化可能有機成分、及び遷移金属触媒の組み合わせ、あるいは実質的に酸化しないガスバリア性樹脂等を含む層を使用することができる。
【００７０】
プラスチックボトル１は、上述の材料を射出成形して製作したプリフォームをブロー成形によって成形することにより作製することができる。
【００７１】
以上に説明がなされたように、本実施形態に係るプラスチックボトル１は、口部１０と、肩部２０と、胴部３０と、底部４０と、を有し、肩部２０、及び胴部３０は、複数の壁部５１と、壁部５１同士をつなぐコーナー部５２とからなり、壁部５１は、肩壁部２１と、胴壁部３１とに分割され、胴壁部３１は、圧力吸収パネル３５を備え、圧力吸収パネル３５は、凸状パネル３３の周囲を取り囲むように凹状パネル３４が形成され、凸状パネル３３、及び凹状パネル３４は、略矩形状であり、凸状パネル３３の表面３３ａは、胴壁部３１の最外方面３１ａより内方に位置する。そして、本実施形態に係る構成によれば、軽量化された角型のプラスチックボトル１において、高い強度を保持しながら、効率的に胴部の膨らみ等による寸法変化が防止される。
【実施例】
【００７２】
以下に、実施例、及び比較例を示して、本発明を更に具体的に説明する。しかしながら、本発明は、以下の実施例に限定されるものではない。
【００７３】
＜材料＞
［実施例１］
図１に示される本実施形態に係るプラスチックボトル１が用いられた。すなわち、プラスチックボトル１は、口部１０と、肩部２０と、胴部３０と、底部４０と、を有し、肩部２０、及び胴部３０は、複数の壁部５１と、壁部５１同士をつなぐコーナー部５２とからなり、壁部５１は、肩壁部２１と、胴壁部３１とに分割され、胴壁部３１は、圧力吸収パネル３５を備え、圧力吸収パネル３５は、凸状パネル３３の周囲を取り囲むように凹状パネル３４が形成され、凸状パネル３３、及び凹状パネル３４は、略矩形状であり、凸状パネル３３の表面３３ａは、胴壁部３１の最外方面３１ａより内方に位置する等といった特徴を有している。プラスチックボトル１は、ポリエチレンテレフタレート製であり、重量が３０ｇで、容量が７２０ｍｌであった。プラスチックボトル１は、プリフォームをブロー成形することによって作製された。
【００７４】
［比較例１］
図１１〜図１３に示される、口部１１０と、肩部１２０と、胴部１３０と、底部１４０とを備えた構成であって、７２０ｍｌ用のプラスチックボトル１００が比較例１として供試された。
【００７５】
ここで、図１１はプラスチックボトル１００の正面図、図１２は図１１のプラスチックボトル１００の平面図、図１３は図１１のプラスチックボトル１００の底面図である。肩部１２０及び胴部１３０は、複数の壁部１５１と、壁部１５１同士をつなぐコーナー部１５２とからなり、壁部１５１は、肩壁部１２１と、胴壁部１３１とに分割され、コーナー部１５２は、肩コーナー部１２２と、胴コーナー部１３２とに分割され、胴壁部１３１は、上下方向の略中間部において、胴壁部１３１、及び胴コーナー部１３２を横切る環状の周溝１３８によって分割されている構成である。
このような構成のプラスチックボトル１００は、３０ｇのプリフォームがブロー成形されることで作製された。なお、ブロー成形時に賦形不良が発生することはなかった。
【００７６】
［比較例２］
図１４〜図１６に示される、口部２１０と、肩部２２０と、胴部２３０と、底部２４０とを備えた構成であって、７２０ｍｌ用のプラスチックボトル２００が比較例２として供試された。
【００７７】
ここで、図１４はプラスチックボトル２００の正面図、図１５は図１４のプラスチックボトル２００の平面図、図１６は図１４のプラスチックボトル２００の底面図である。肩部２２０及び胴部２３０は、複数の壁部２５１と、壁部２５１同士をつなぐコーナー部２５２とからなり、壁部２５１は、肩壁部２２１と、胴壁部２３１とに分割され、コーナー部２５２は、肩コーナー部２２２と、胴コーナー部２３２とに分割され、胴壁部２３１は、上下方向の略中間部において、胴壁部２３１、及び胴コーナー部２３２を横切る環状の周溝２３８によって上胴壁部２３１Ａと下胴壁部２３１Ｂとに分割され、上胴壁部２３１Ａ、及び下胴壁部２３１Ｂは、凹状の圧力吸収パネル２３４を備えており、圧力吸収パネル２３４の底面２３４ａに、水平方向に延びる複数のリブ２３６が形成されている構成である。
このような構成のプラスチックボトル２００は、３０ｇのプリフォームがブロー成形されることで作製された。なお、ブロー成形時に賦形不良が発生することはなかった。
【００７８】
＜方法＞
（積載効率）
実施例１、並びに比較例１、及び２のプラスチックボトルにおける１パレットに積載される本数の比較が行われた。積載効率は、○：１パレットに積載される本数が４００本、×：１パレットに積載される本数が４００本未満、で表記されている。
【００７９】
（組付試験）
実施例１、並びに比較例１、及び２のプラスチックボトルにヘッドスペースが２０ｍｌになるように緑茶が充填され、口部がキャップによって密封された。この内容物が充填されたプラスチックボトルが、縦３本、横４本に配列されてダンボールに箱詰めされた。このプラスチックボトルが詰められたダンボールが段積みされ、３段積みの組付可否の組付試験がそれぞれ行われた。表１には、試験の結果が示されている。組付可否は、○：荷崩れなし、×：荷崩れ発生、で表記されている。
【００８０】
（総合評価）
１パレット本数、及び組付試験に基づいて、実施例１、並びに比較例１、及び２のプラスチックボトルの総合評価がなされた。表１には、総合評価の結果が示されている。○：良好、△：適性はあるが良好ではない、×：適性なし、で表記されている。
【００８１】
【表１】
2020063066.tif 000003
【００８２】
上述された実施例から以下の点が導き出された。表１に示すように、実施例１は、軽量化を図ることができ、組付性を満たすだけの減圧適正を備えるとともに胴膨れ防止機能を有していた。比較例１は、圧吸収部を備えないため、組付性を満たす減圧適性を有しておらず、胴膨れしていたため積載効率も低かった。比較例２は、軽量化を図ることができ、組付性を満たすだけの減圧適正を備えるが、胴膨れ防止機能が不充分であったため積載効率が低かった。
【００８３】
上述された実施例から、本実施形態に係るプラスチックボトル１は、その構成によって、軽量化された角型のプラスチックボトルにおいて、高い減圧適正を有し、効率的に圧力分散することで胴部の膨らみ等による寸法変化が防止されることが示された。
【産業上の利用可能性】
【００８４】
本開示は、無菌充填用、耐熱用等の種々のプラスチックボトルに好適に利用することができる。しかしながら、本開示は、上述された実施形態、及び実施例に限定されるものではない。本開示のプラスチックボトルは、内容物に、例えば、緑茶、ウーロン茶、紅茶、コーヒー、果汁、清涼飲料等の各種非炭酸飲料、あるいはしょうゆ、ソース、みりん等の調味料、食用油、酒類を含む食品等、洗剤、シャンプー、化粧品、医薬品、その他を収容した、あらゆる容器に有用であり、容器の横倒し積載が可能であるので自動販売機等による販売にも適している。
【符号の説明】
【００８５】
１  プラスチックボトル
１０  口部
２０  肩部
２１  肩壁部
２１Ａ  上肩壁部
２１Ｂ  下肩壁部
２２  肩コーナー部
２２Ａ  上肩コーナー部
２２Ｂ  下肩コーナー部
３０  胴部
３１  胴壁部
３１Ａ  上胴壁部
３１Ｂ  下胴壁部
３１ａ  胴壁部の最外方面
３２  胴コーナー部
３２Ａ  上胴コーナー部
３２Ｂ  下胴コーナー部
３３    凸状パネル
３３ａ  凸状パネルの表面
３３ｂ  凸状パネルの側面
３４    凹状パネル
３４ａ  凹状パネルの底面
３４ｂ  凹状パネルの側面
３５  圧力吸収パネル
３６  凹状リブ
３６ａ  リブ底面
３６ｂ  リブ側面
３８  周溝
４０  底部
４１  接地部
４２  側面部
４３  内側部
４４  リブ
５１  壁部
５２  コーナー部
５３  縦リブ
１００  プラスチックボトル（比較例１）
１１０  口部
１２０  肩部
１２１  肩壁部
１２２  肩コーナー部
１３０  胴部
１３１  胴壁部
１３２  胴コーナー部
１３８  周溝
１４０  底部
１５１  壁部
１５２  コーナー部
２００  プラスチックボトル（比較例２）
２１０  口部
２２０  肩部
２２１  肩壁部
２２２  肩コーナー部
２３０  胴部
２３１  胴壁部
２３１Ａ  上胴壁部
２３１Ｂ  下胴壁部
２３２  胴コーナー部
２３４  圧力吸収パネル
２３４ａ  圧力吸収パネルの底面
２３６  凹状リブ
２４０  底部
２５１  壁部
２５２  コーナー部
Ｈ１  プラスチックボトルの全高
Ｈ２  底部の接地面から周溝までの高さ
ｄ１  凸状パネルの深さ
ｄ２  凹状パネルの深さ
ｄ３  凹状リブの深さ
ｔ    凸状パネルの表面における肉厚
ｗ１  凹状リブの幅
ｗ２  凸状パネルの表面の幅
θ１  凸状パネルの側面における傾斜角度
θ２  凹状パネルの側面における傾斜角度
θ３、θ４  リブ側面の傾斜角度
ｃ１  胴コーナー部の両端部における周溝の幅
ｃ２  胴コーナー部の中央における周溝の幅
【図１】
2020063066.tif 000004
【図２】
2020063066.tif 000005
【図３】
2020063066.tif 000006
【図４】
2020063066.tif 000007
【図５】
2020063066.tif 000008
【図６】
2020063066.tif 000009
【図７】
2020063066.tif 000010
【図８】
2020063066.tif 000011
【図９】
2020063066.tif 000012
【図１０】
2020063066.tif 000013
【図１１】
2020063066.tif 000014
【図１２】
2020063066.tif 000015
【図１３】
2020063066.tif 000016
【図１４】
2020063066.tif 000017
【図１５】
2020063066.tif 000018
【図１６】
2020063066.tif 000019